(57)【要約】【解決手段】  制御されたディフューザー装置は、カバー、ルーバーパネル、基体部材、及びベースを含んでよい。カバー及びベースは、基体部材及びルーバーパネルを挟むように互いに固定される一方で、基体部材及びルーバーパネルをベース上面に摺動させて係合させるように構成されてよい。基体部材は、芳香成分を拡散させると物理的寸法が変化する材料を含んでよい。静的な固定及び摺動係合の構成によって、ルーバーパネルは、基体部材の物理的寸法が変化すると、カバーのアパーチャを動作可能に遮って、基体部材の可変な暴露の度合いが選択的に調節される。他の実施形態は、基体部材を受け入れて、カバーを上に配置させるように構成されたベースを含んでよい。基体部材の物理的寸法が変化すると、カバーはベースに対して移動させられてよい。【選択図】図１
2018509984.tif 000002
【特許請求の範囲】
【請求項１】
少なくとも１つのカバーアパーチャを有する少なくとも１つのカバーと、
少なくとも１つのルーバーパネルと、
第１の端部及び第２の端部を有する少なくとも１つの基体部材と、
少なくとも１つのベースと、
前記少なくとも１つの基体部材の第１の端部を、前記少なくとも１つのベースに静的に固定する少なくとも１つの第１の端部保持機構と、
前記ルーバーパネルを、前記基体部材の第２の端部に静的に固定する少なくとも１つの第２の端部保持機構と、
を備えており、
前記少なくとも１つの基体部材及び前記少なくとも１つのルーバーパネルのうちの少なくとも一方は、前記ベースに対して移動するように構成されており、
前記基体部材は、環境の変化に曝されると少なくとも１つの物理的寸法を変化させる材料を含んでおり、
物理的寸法の変化が起こると、前記基体部材の第２の端部が、前記基体部材の第１の端部に対して移動させられることで、前記少なくとも１つのルーバーパネルがある方向に押され、前記少なくとも１つの基体部材及び前記少なくとも１つのルーバーパネルは、前記少なくとも１つのベース及び前記少なくとも１つのカバーに対して移動し、
前記少なくとも１つのルーバーパネルが前記少なくとも１つのカバーに対して移動すると、前記少なくとも１つのルーバーパネルが前記少なくとも１つのカバーアパーチャの開口を横切る、開閉装置。
【請求項２】
前記少なくとも１つの基体部材に、蒸気圧の変化に伴って拡散する芳香成分が与えられている、請求項１に記載の開閉装置。
【請求項３】
前記開閉装置を補助構造に取り付ける少なくとも１つの取付機構を更に備える、請求項１に記載の開閉装置。
【請求項４】
前記少なくとも１つのカバーを前記少なくとも１つのベースに取り付ける少なくとも１つの固定機構を更に備える、請求項１に記載の開閉装置。
【請求項５】
前記少なくとも１つの基体部材はＥＶＡを含む、請求項１に記載の開閉装置。
【請求項６】
カバー上面と、カバー下面と、少なくとも１つのカバーアパーチャとを有する少なくとも１つのカバーと、
ルーバーパネル上面と、ルーバーパネル下面と、中央部材と、少なくとも１つのタインとを有する少なくとも１つのルーバーパネルと、
第１の端部及び第２の端部を有する少なくとも１つの基体部材と、
ベース上面とベース下面とを有する少なくとも１つのベースと、
前記少なくとも１つの基体部材の第１の端部を前記少なくとも１つのベース上面に静的に固定する少なくとも１つの第１の端部保持機構と、
前記ルーバーパネル下面を前記基体部材の第２の端部に静的に固定する少なくとも１つの第２の端部保持機構と、
を備えており、
前記少なくとも１つの基体部材及び前記少なくとも１つのルーバーパネルの少なくとも一方は、前記ベース上面に摺動可能に係合するように構成されており、
前記基体部材は、蒸気圧の変化に曝されると少なくとも１つの物理的寸法が変化する材料を含んでおり、
物理的寸法の変化が起こると、前記基体部材の第２の端部は、前記基体部材の第１の端部に対して動かされることで、前記少なくとも１つのルーバーパネルがある方向に押されて、前記少なくとも１つの基体部材及び前記少なくとも１つのルーバーパネルは、前記少なくとも１つのベース及び前記少なくとも１つのカバーに対して移動し、
前記少なくとも１つのルーバーパネルが前記少なくとも１つのカバーに対して移動すると、前記少なくとも１つのタインが、前記少なくとも１つのカバーアパーチャの開口を横切ることで、前記少なくとも１つの基体部材の外部環境への暴露が調節される、開閉装置。
【請求項７】
前記少なくとも１つの基体部材に、蒸気圧の変化に伴って拡散する芳香成分が与えられている、請求項６に記載の開閉装置。
【請求項８】
前記開閉装置を補助構造に取り付ける少なくとも１つの取付機構を更に備える、請求項６に記載の開閉装置。
【請求項９】
前記少なくとも１つのカバーを前記少なくとも１つのベースに取り付ける少なくとも１つの固定機構を更に備える、請求項６に記載の開閉装置。
【請求項１０】
前記少なくとも１つの基体部材はＥＶＡを含む、請求項６に記載の開閉装置。
【請求項１１】
カバー上面と、カバー下面と、少なくとも１つのカバーアパーチャとを有する少なくとも１つのカバーと、
ルーバー上面とルーバー下面とを有する少なくとも１つのルーバーであって、各ルーバーは、前記少なくとも１つのカバーアパーチャに回転自在に取り付けられ、前記少なくとも１つのカバーアパーチャを選択的に塞ぐように構成されている、少なくとも１つのルーバーと、
第１の端部及び第２の端部を有する少なくとも１つの基体部材と、
ベース上面とベース下面とを有する少なくとも１つのベースと、
前記少なくとも１つの基体部材の第１の端部を前記少なくとも１つのベース上面に静的に固定する少なくとも１つの第１の端部保持機構と、
を備えており、
前記少なくとも１つのルーバーは、前記基体部材の第２の端部と機械的に繋がっており、
前記少なくとも１つの基体部材は、前記ベース上面に摺動可能に係合するように構成されており、
前記基体部材は、蒸気圧の変化に曝されると少なくとも１つの物理的寸法が変化する材料を含んでおり、
物理的寸法が変化すると、前記基体部材の第２の端部が前記基体部材の第１の端部に対して動かされることで、前記少なくとも１つのルーバーが回転させられ、前記少なくとも１つの基体部材が前記少なくとも１つのベース及び前記少なくとも１つのカバーに対して移動し、前記少なくとも１つのルーバーが回転して前記少なくとも１つのカバーアパーチャの開口を選択的に遮って、前記少なくとも１つの基体部材の外部環境への暴露が調節される、開閉装置。
【請求項１２】
前記少なくとも１つの基体部材に、蒸気圧の変化に伴って拡散する芳香成分が与えられている、請求項１１に記載の開閉装置。
【請求項１３】
前記開閉装置を補助構造に取り付ける少なくとも１つの取付機構を更に備える、請求項１１に記載の開閉装置。
【請求項１４】
前記少なくとも１つのカバーを前記少なくとも１つのベースに取り付ける少なくとも１つの固定機構を更に備える、請求項１１に記載の開閉装置。
【請求項１５】
前記少なくとも１つの基体部材はＥＶＡを含む、請求項１１に記載の開閉装置。
【請求項１６】
カバー上面と、カバー下面と、少なくとも１つのカバーアパーチャとを有する少なくとも１つのカバーと、
ベース上面と、ベース下面と、少なくとも１つのベースアパーチャとを有する少なくとも１つのベースと、
ルーバーパネル上面と、ルーバーパネル下面と、中央部材と、少なくとも１つのタインとを有する少なくとも１つのルーバーパネルと、
ルーバー上面とルーバー下面とを有する少なくとも１つのルーバーであって、各ルーバーが前記少なくとも１つのカバーアパーチャ及び前記少なくとも１つのベースアパーチャのうちの少なくとも一方に回転自在に取り付けられており、前記少なくとも１つのルーバーは、前記少なくとも１つのカバーアパーチャ及び前記少なくとも１つのベースアパーチャの少なくとも一方を選択的に遮るように構成されている、少なくとも１つのルーバーと、
第１の端部及び第２の端部を有する少なくとも１つの基体部材と、
前記少なくとも１つの基体部材の第１の端部を前記少なくとも１つのベース上面に静的に固定する少なくとも１つの第１の端部保持機構と、
前記ルーバーパネル下面を前記基体部材の第２の端部に静的に固定する少なくとも１つの第２の端部保持機構と、
を備えており、
前記少なくとも１つのルーバーは、前記基体部材の第２の端部と機械的に繋がっており、
前記少なくとも１つの基体部材及び前記少なくとも１つのルーバーパネルの少なくとも一方は、前記ベース上面に摺動可能に係合するように構成されており、
前記基体部材は、蒸気圧の変化に曝されると少なくとも１つの物理的寸法を変化させる材料を含んでおり、
物理的寸法が変化すると、前記基体部材の第２の端部が前記基体部材の第１の端部に対して動かされることで、前記少なくとも１つのルーバーパネルがある方向に押され、
前記少なくとも１つの基体部材及び前記少なくとも１つのルーバーパネルは、前記少なくとも１つのベース及び前記少なくとも１つのカバーに対して移動し、
前記少なくとも１つのルーバーパネルが前記少なくとも１つのカバーに対して移動すると、前記少なくとも１つのタインが、前記少なくとも１つのカバーアパーチャ及び前記少なくとも１つのベースアパーチャのうちの少なくとも一方の開口を横切って、前記少なくとも１つの基体部材の外部環境への暴露が調節され、
物理的寸法が変化すると、前記基体部材の第２の端部が前記基体部材の第１の端部に対して動かされることで、前記少なくとも１つのルーバーが回転させられ、
前記少なくとも１つの基体部材が前記少なくとも１つのベース及び前記少なくとも１つのカバーに対して移動し、前記少なくとも１つのルーバーが回転して前記少なくとも１つのカバーアパーチャの開口を選択的に遮って、前記少なくとも１つの基体部材の外部環境への暴露が調節される、開閉装置。
【請求項１７】
前記少なくとも１つの基体部材に、蒸気圧の変化に伴って拡散する芳香成分が与えられている、請求項１６に記載の開閉装置。
【請求項１８】
前記開閉装置を補助構造に取り付ける少なくとも１つの取付機構を更に備える、請求項１６に記載の開閉装置。
【請求項１９】
前記少なくとも１つのカバーを前記少なくとも１つのベースに取り付ける少なくとも１つの固定機構を更に備える、請求項１６に記載の開閉装置。
【請求項２０】
前記少なくとも１つの基体部材はＥＶＡを含む、請求項１６に記載の開閉装置。
【請求項２１】
連接したベース側部を有するベース底部と、開いたベース頂部とを有しており、ベース内部キャビティが形成されているベースと、
前記ベース内部キャビティ内に摺動して挿入されるように構成された基体部材であって、環境の変化に曝されると少なくとも１つの物理的寸法を変化させる材料を含んでいる、基体部材と、
連接したカバー側部を有するカバー上部と、開いたカバー底部とを有しており、カバー内部キャビティが形成されているカバーであって、前記カバー内部キャビティは、前記基体部材が前記ベース内部キャビティ内に挿入されて、且つ、前記カバーが前記ベース上に配置される場合に、少なくとも前記ベース上部と前記基体部材の一部とを受け入れるように構成されている、カバーと、
を備えており、
前記基体部材は、前記カバーが前記ベースの上に置かれると、前記カバーが前記基体部材に載置されるように、前記ベース内部キャビティ内に位置するように構成されており、
前記基体部材が少なくとも１つの物理的寸法を変化させると、前記ベースに対して前記カバーが移動する、開閉装置。
【請求項２２】
前記ベース側部及び前記ベースカバーの少なくとも一方に、少なくとも１つの通気口が形成されている、請求項２１に記載の開閉装置。
【請求項２３】
前記基体部材は、その中に形成された少なくとも１つのアパーチャを有する、請求項２１に記載の開閉装置。
【請求項２４】
寿命インジケータを更に備える、請求項２１に記載の開閉装置。
【請求項２５】
前記ベース底部は、前記ベース頂部が上向きになるように前記ベースを自立させるように構成されている、請求項２１に記載の開閉装置。
【請求項２６】
前記ベース底部は、前記基体部材が前記ベースに挿入されて、前記カバーが前記ベースの上に置かれた状態で、前記ベース頂部を上向きにして前記ベースを自立させるように構成されている、請求項２１に記載の装置。
【請求項２７】
前記少なくとも１つの通気口は、前記カバーが前記ベースに対して移動すると、遮られるものと開放されるものの少なくとも一方である、請求項２２に記載の装置。
【発明の詳細な説明】
【技術分野】
【０００１】
［関連出願の相互参照］
本願は、２０１５年３月１８日に出願された同時係属中の米国仮出願第６２／１３４，８３６号と、２０１５年１０月５日出願された同時係属中の米国意匠特許出願第２９／５４１，５１３号と、２０１５年１２月１８日に出願された同時係属中の米国特許出願第１４／９７４，５４２号の利益を主張するものであって、これらは、引用を以て、それらの全体が本明細書の一部となる。
【０００２】
本発明は概して、香気分散装置に関しており、動作可能な開閉容器を介して香気を制御可能に分散する装置に関している。
【背景技術】
【０００３】
例えば部屋のような空間の居住者の近傍にて、その空間の体積を占める空気に芳香又は臭気中和剤を充満させることによって、香気環境を生成することはよく知られており、部屋の臭い付け又は脱臭の典型的な形態である。空気の芳香充満と臭気中和剤充満には、多くの形態が存在する。
【０００４】
一般的な形態は、香気又は臭気中和剤成分（本明細書では、「芳香成分」と称する）を付与されたポリエチレンビニルアセテート（ＥＶＡ）のような基体を使用することである。芳香成分は、基体から拡散されて、周囲の空気中に放出される。芳香含有基体は、容器内に入れられており、容器外部の環境から実質的に流体遮断される。容器が開いていると、又は、基体が容器から取り外されると、蒸気圧の変化により、芳香成分の拡散が開始する。
【０００５】
典型的なディフューザー容器は、拡散を防止するために閉状態で封止されているか、拡散を可能にするように開いている容器であって、基体の暴露は、閉状態では固定され、開状態では再び固定される。典型的なディフューザー容器は、芳香含有基体の動的に制御可能な暴露を可能にしていない。何故ならば、通常、それらは、開いている場合には一定量での暴露をもたらし、閉じている場合には、一定量での暴露、又は、非暴露をもたらすからである。追加の暴露が必要な範囲では、手動で行う必要がある。
【０００６】
従来技術はまた、複雑な機械的及び／又は電気的システムを用いることなく自動的に制御可能に暴露するための手段を提供してはいない。通常、芳香含有基体が芳香成分を拡散させるので、拡散の化学ポテンシャルは、特にＥＶＡ基体で経時的に変化する。その結果、最初に暴露される場合における初期拡散はより速い速度で起こり、時間が経過して拡散が続くと、拡散はより遅い速度で起こる。これに関して、従来技術はまた、拡散の化学ポテンシャルに見合うように基体を自動的に暴露させることができず、使用者の最初の使用時にて芳香充満が過剰になり、後の使用時に芳香充満が不十分になる。
【０００７】
従って、所望の拡散レベルに相応する開口を容器内に作り出すことによって、拡散の有効性と効率をできるだけ大きくして、芳香含有基体を自動的且つ調和的に暴露する容器を提供する技術的な解決策が必要とされている。
【発明の概要】
【０００８】
本明細書は、カバー、ルーバーパネル、基体部材、及びベースを備える制御されたディフューザー装置を記載している。カバーにはカバーアパーチャが設けられ、ルーバーパネルにはタイン（tine）が設けられてよい。開示されている装置の構成は、基体部材をベースに静的に固定し、ルーバーパネルを基体部材に静的に固定し、カバーをベースに静的に固定する。基体部材及びルーバーパネルの少なくとも１つは、ベース上面に摺動可能に係合するように構成される。カバー及びベースは、基体部材及びルーバーパネルをベース上面に摺動可能に係合させる一方で、基体部材及びルーバーパネルを挟むように互いに固定されるように構成されている。
【０００９】
基体部材は、蒸気圧の変化に曝されて芳香成分を拡散する場合に、物理的寸法が変化する材料を含んでよい。本明細書に記載された静的な固定と摺動可能な係合構成とによって、ルーバーパネルのタインは、カバー部材のアパーチャを動作自在に閉じて、基体部材の物理的寸法が変化すると、変化する基体部材の暴露度を選択的に調節する。従って、開示される装置は、所望の拡散レベルに見合った開口を作り出すことによって、拡散の有効性及び効率をできるだけ大きくするために芳香含有基体を自動的且つ調和的に暴露する手段を提供する。
【００１０】
これらの潜在的な利点は、本発明で提供される技術的解決策によって可能になるが、達成されることを求められない。本発明の装置及びその実施形態は、これらの潜在的な利点を個別に又は組み合わせて追求又は達成するか否かに拘わらず、技術的利点を達成するために実施されてよい。
【００１１】
制御されたディフューザー装置の例示的な実施形態は、以下のようであってよい。少なくとも１つのカバーが設けられており、カバー上面と、カバー下面と、少なくとも１つのカバーアパーチャとを有している。少なくとも１つのベースが設けられて、ベース上面と、ベース下面と、少なくとも１つのベースアパーチャとを有している。１つのルーバーパネルが設けられて、ルーバーパネル上面と、ルーバーパネル下面と、中央部材と、少なくとも１つのタインとを有している。ルーバー上面及びルーバー下面を有する少なくとも１つのルーバーが設けられ、各ルーバーは、少なくとも１つのカバーアパーチャと少なくとも１つのベースアパーチャのうちの少なくとも１つに回転自在に取り付けられる。少なくとも１つのルーバーは、少なくとも１つのカバーアパーチャと少なくとも１つのベースアパーチャのうちの少なくとも１つを選択的に遮るように構成されている。
【００１２】
少なくとも１つの基体部材が設けられ、基体部材の第１端部と基体部材の第２端部とを有している。少なくとも１つの第１端部保持機構は、少なくとも１つの基体部材の第１端部を少なくとも１つのベース上面に静的に固定する。少なくとも１つの第２端部保持機構は、ルーバーパネルの下面を基体部材の第２端部に静的に固定する。少なくとも１つのルーバーは、基体部材の第２端部と機械的に繋がっている。少なくとも１つの基体部材及び少なくとも１つのルーバーパネルの少なくとも１つは、ベース上面に摺動可能に係合するように構成されている。基体部材は、蒸気圧の変化に曝されると、少なくとも１つの物理的寸法を変化させる材料を含んでいる。
【００１３】
物理的寸法が変化すると、基体部材の第２端部は、基体部材の第１端部に対して動かされて、少なくとも１つのルーバーパネルをある方向に向けて押す。少なくとも１つの基体部材及び少なくとも１つのルーバーパネルは、少なくとも１つのベース及び少なくとも１つのカバーに対して移動する。少なくとも１つのルーバーパネルが少なくとも１つのカバーに対して移動すると、少なくとも１つのタインは、少なくとも１つのカバーアパーチャ及び少なくとも１つのベースアパーチャのうちの少なくとも１つの開口を横切って、装置の外部環境への基体部材の暴露を調節する。
【００１４】
物理的寸法が変化すると、基体部材の第２端部は基体部材の第１端部に対して動かされて、少なくとも１つのルーバーを回転させる。少なくとも１つの基体部材が、少なくとも１つのベース及び少なくとも１つのカバーに対して移動する一方で、少なくとも１つのルーバーが回転して、少なくとも１つのカバーアパーチャ及び少なくとも１つのベースアパーチャのうちの少なくとも１つの開口を選択的に遮蔽し、少なくとも１つの基体部材の装置の外部環境への暴露を調節する。
【００１５】
代替的な実施形態は、以下のように構成されてよい。蒸気圧の変化に伴って拡散する芳香成分を伴った少なくとも１つの基体部材が設けられる。装置は、補助構造に装置を固定するための少なくとも１つの取付機構を更に備えている。装置は、少なくとも１つのカバーを少なくとも１つのベースに取り付けるための少なくとも１つの固定機構を更に備えている。少なくとも１つの基体部材はＥＶＡを含んでいる。
【００１６】
ある実施形態では、装置は、ベース、基体部材、及びカバーを含んでよい。ベースは、連接した側部を有する底部と、開いた頂部とを有しており、ベースの内部キャビティが形成された自己支持形容器であってよい。基体部材は、摺動可能に内部に挿入されるようにベースの内部キャビティを補完する形状を有してよい。カバーは、連接した側部を有する閉じた頂部と、カバーの内部キャビティを形成する開いた底部とを有してよい。カバーは、そのカバーの内部キャビティがベース及び基体部材を摺動可能に受け入れるように構成されてよい。ベースは、開いた頂部を上に向けて直立するように構成されてよい。使用者は、ベースの内部キャビティに基体部材を挿入して、カバー内部が少なくともベース頂部と基体部材の一部とを受け入れるようにすることによって、ベース及び基体部材の上にカバーを置くことができる。カバーは、基体部材の頂部に据え付けられてよい。基体部材の物理的寸法が変化すると、カバー部材は、基体部材上に載置できていることから、ベースに対して移動することができる。ベース側部及びカバー側部のうちの少なくとも１つに、少なくとも１つの通気口が設けられてよい。カバーがベースに対して移動すると、カバー及び／又はベースの構造は、通気口を閉じる又は開くことができ、通気口を介して自動的に制御された拡散を可能にする。
【図面の簡単な説明】
【００１７】
例示的な実施形態は、添付の図面と併せて読むことで、以下の詳細な説明から最もよく理解される。添付図面には、以下の図が含まれている。
【００１８】
【図１】図１は、例示的な第１の実施形態の装置であって、構成部分を並置して示している。
【００１９】
【図２】図２は、例示的な第１の実施形態であって、ベースに固定された基体部材の斜視図及びその斜視断面図を示している。
【００２０】
【図３】図３は、例示的な第１の実施形態であって、ベースに固定された基体部材とルーバーパネルの斜視図及びそれらの斜視断面図を示している。
【００２１】
【図４】図４は、例示的な第１の実施形態であって、ルーバーパネルが各開口を動作自在に閉じると、カバーアパーチャの開口が減じられる模様を示している。
【００２２】
【図５】図５は、例示的な第２の実施形態の装置であって、その中に配置された基体部材を有するベースと、ベースの上に配置されたカバーとを示している。
【００２３】
【図６】図６は、例示的な第２の実施形態のベースである。
【００２４】
【図７】図７は、例示的な第２の実施形態の基体部材である。
【００２５】
【図８】図８は、例示的な第２の実施形態のカバーである。
【発明を実施するための形態】
【００２６】
図１乃至図４を参照すると、例示的な第１の実施形態の装置の様々な図が開示されている。本明細書は、少なくとも１つのカバー２０と、少なくとも１つのルーバーパネル３０と、少なくとも１つの基体部材４０と、少なくとも１つのベース５０とを備える、制御されたディフューザー装置１０を説明する。カバー、ルーバーパネル、及びベースの構成部品は、軽量の硬質材料を含んでよい。これは、例えば、プラスチック、ガラス繊維、アルミニウム、鋼、セラミックなどであってもよい。カバーには、少なくとも１つのカバーアパーチャ２１が設けられ、ルーバーパネルには少なくとも１つのタイン３１が設けられてもよい。開示されている装置の構成は、基体部材の第１の端部４１をベースに静的に固定し、ルーバーパネル３０を基体部材の第２の端部４２に静的に固定し、カバーをベースに静的に固定する。基体部材及びルーバーの少なくとも一方は、ベース上面５１に摺動可能に係合するように構成されている。カバー及びベースは、基体部材及びルーバーパネルを挟み込むように互いに固定され、且つ、基体部材及びルーバーパネルがベース上面に摺動可能に係合することを可能にするように構成されている。
【００２７】
基体部材は、蒸気圧の変化に曝されると少なくとも１つの物理的寸法が変化し、芳香成分を拡散する材料を含んでよい。例示的な実施形態では、基体部材は、収縮することによって物理的寸法の変化を受ける。本明細書で説明される静的固定な構成と及び摺動可能な係合構成とによって、基体部材の物理的寸法が変化することで、基体部材の第２の端部は、基体部材の第１の端部に対して動かされて、これにより、ルーバーパネルはある方向に動かされる。基体部材及びルーバーパネルは、ベース及びカバーに対して移動し、ルーバーパネルがカバーに対して移動すると、タインが、カバーのアパーチャの開口を横切って、基体部材の装置外部環境への暴露を調節する。従って、ルーバーパネルはシャッタとして機能し、基体部材の物理的寸法が変化すると、図４に示すように、基体部材の可変な暴露度を選択的に調節する。
【００２８】
本明細書では、単数形で構成部分に言及することがあるが、その複数形が用いられることもあり、単数形の記載は、例示及び簡潔さを容易にするために行われることは理解される。開示される装置の教示から逸脱することなく、同じ言及がその構成部分の単数又は複数を含み得ることは理解される。
【００２９】
開示される装置の例示的な実施形態は、略長方形の形状を有するものとして図示され得るが、本発明に基づく装置の操作を容易にする任意の外的形状が利用されてよいことは理解される。
【００３０】
例示的な実施形態は、ベースの上面とベースの下面５２とを有するベースを提供する。ベースの下面には、補助構造に装置を固定するための少なくとも１つの取付機構が設けられてよい。補助構造は、例えば、壁、棚、ダッシュボードなどであってよい。取付機構は、一時的又は恒久的な固定をもたらすように構成されてよい。取付機構は、クリップ、接着剤、フック、又は、留め具が挿入されるのを容易にするアイレットであってもよいが、これらに限定されない。カバーの一部にも同様の取付機構が設けられてよい。
【００３１】
ベース上面には、少なくとも１つの第１の端部保持機構６０が設けられて、基体部材の第１の端部をベースに固定することが容易にされてよい。基体部材の第１の端部には相補的な第１の端部保持機構が設けられて、ベース上面の第１の端部保持機構との係合が可能にされてよい。保持機構は、一時的又は恒久的な固定をもたらすように構成されてよい。第１の端部保持機構は、ベース上面及び／又は基体の第１の端部の表面から延びる少なくとも１つの保持突起を備えていてよい。保持突起は、ベース上面及び／又は基体部材の第１の端部の表面に配置された少なくとも１つの保持アパーチャを通って挿入される。その他の第１の端部保持機構が利用されてよいことは理解される。これらは、例えば、クリップ、接着剤、バネ付勢ピンなどであってよい。第１の端部保持機構はまた、基体部材の第１の端部上に配置され、ベース上面の一部と締り嵌めを形成するように構成された剛性部材を備えてよい。
【００３２】
例示的な実施形態は、ルーバーパネルの上面３２とルーバーパネルの下面３３とを有するルーバーパネルを提供してよい。ルーバーパネルは、そこから延びる少なくとも１つのタインを有する中央部材３４を備えてよい。ルーバーパネルの下面及び基体部材の第２の端部には、第１の端部保持機構について上述したように構成された少なくとも１つの第２の端部保持機構７０が設けられてよい。第２の端部保持機構は、ルーバーパネルの下面を基体部材の第２の端部に静的に固定する。
【００３３】
第１の端部保持機構は、基体部材の第１の端部をベース上面に静的に固定し、第２の端部保持機構は、ルーバーパネル下面を基体部材の第２の端部に静的に固定する。ルーバーパネル上面は、カバーの下面２２の外的特徴を補完する外的特徴を有するように構成されてよい。このような固定構成及び外的特徴は、基体部材の物理的寸法が変化すると、基体部材の暴露を調整する構成部品の相対的な移動を可能にする。
【００３４】
例示的な実施形態は、カバーの上面２３及びカバーの下面２２を有するカバーを提供してよい。カバーは、少なくとも１つの固定機構を介してベースに係合するように構成されてよい。ベースと係合すると、基体部材及びルーバーパネルは、カバー及びベースによって包まれる。固定機構は、カバーをベースに着脱自在又は恒久的に固定するように構成されてよい。固定機構は、締り嵌め、クリップ、接着剤、ねじ留め具などであってよい。
【００３５】
カバーには、少なくとも１つのカバーアパーチャが設けられてよい。カバー下面は、カバーがベースに固定されており、基体部材とルーバーパネルがそれらの間に挟まれている場合において、少なくとも１つのカバーアパーチャの近くの少なくとも一部が、ルーバーパネル上面の少なくとも１つのタインと実質的に当接するように、構成されている。
【００３６】
例示的な実施形態では、少なくとも１つのカバーアパーチャが少なくとも部分的に基体部材を暴露するように、装置が組み立てられていてよい。この場合、装置は、補助容器内にシールされており、補助容器の外部環境から実質的に流体絶縁される。ユーザが補助容器から装置を取り外すと、上記のように、基体部材が部分的な初期の暴露をして、拡散が開始する。拡散が生じると、基体部材が、少なくとも１つの物理的寸法について変化して、ルーバーパネルに作用することで、基体部材の第２の端部及びルーバーパネルが、基体部材の第１の端部に対して移動する。ルーバーパネルが動くと、タインがカバーアパーチャを通るように摺動して、そのアパーチャと開口を形成し、そのアパーチャ内の開口を閉じ、又は、そのアパーチャ内の開口を変化させる。それによって、基体部材の暴露が自動的に変化し、蒸気圧の変化に基体部材が追従する。拡散が起こると、拡散の化学ポテンシャルは変化するが、変化する蒸気圧は、拡散レートを変化させて、拡散の化学ポテンシャルの変化を打ち消し、補強し、さもなれば緩和する。
【００３７】
例示的な実施形態は、化学ポテンシャルの変化を相殺するために暴露を増加させる構成を提供し得るが、開示される装置は、このような構成に限定されない。構成は、物理的寸法が変化するにつれて、基体部材の暴露を減少させてよく、基体の物理的寸法が変化するにつれて暴露の増加と減少を交互に変化させてよく、又は、基体部材の物理的寸法が変化するにつれて、暴露の度合いの様々な変更を提供してよい。構成は、暴露を変化させることで、化学ポテンシャル、蒸気圧、又は拡散速度の変化について抵抗し、強化し、又は調節してよい。構成はまた、外的又は視覚的効果のために構成部品の相対的な動きを強制してよい。
【００３８】
図面に示される例示的な実施形態は単一の基体部材を示しているが、本発明の恩恵を受ける当業者であれば、複数の基体部材と複数のルーバーパネルとが、単一のベース及び単一のカバー、単一のベース及び複数のルーバーパネル、又は複数のベース及び単一のカバーの任意の組合せによって包まれ得ることが想起されるであろう。
【００３９】
図面によって示された例示的な実施形態は、ルーバーパネルを操作するために利用される指向性の動きについて単一の方向を示しているが、基体部材は、任意の方向又は全方向において物理的寸法が変化してよいこと、そして、この目的のために任意の方向が利用されてよいことは理解される。基体部材は、ある方向の物理的寸法が他の方向よりも速い速度で変化するように、又は全体の物理的寸法がある方向について他の方向よりも変化するように構成されてよい。これは、基体部材の設計された結晶構造が、好ましい方向に膨張／収縮を示す、又は、ある方向に他の方向よりも膨張／収縮することによって達成されてよく、その寸法幅／長さよりも実質的に長い寸法長さ／幅を有する基体部材がもたらされ、異なる伸張／収縮を示し、異なる方向に揃えられた複数の材料を含む基体部材がもたらされてよいさらに、装置の複数の構成部品を使用することで、複数の方向性運動が、ルーバーパネルを動作させるために同時に、並列に、又は直列に利用されてよい。従って、例として、複数のルーバーパネルを複数の基体部材と共に使用して、任意の数の基体部材の暴露を調整するために、アパーチャを遮る複雑なアレイがもたらされてよい。
【００４０】
代替的な実施形態は、少なくとも１つの個別のルーバー（図示せず）を提供してよく、少なくとも１つの個別のルーバーが、少なくとも１つのカバーアパーチャに回転及び／又は枢動可能に取り付けられ、カバーアパーチャを選択的に遮るように構成されている。少なくとも１つの個別のルーバーは、基体部材の第２の端部と機械的に繋がっているので、基体部材の物理的寸法が変化すると、ルーバーが回転し、及び／又は回動して、カバーアパーチャの開口が増減する。回転及び／又は枢動可能に取り付けられる代わりに、個別のルーバーは、カバーアパーチャと摺動可能に係合して、カバーアパーチャ（図示せず）を動作自在に遮ってよい。これは、個別のルーバーを、カバーアパーチャのトラック又はガイド（図示せず）と摺動可能に係合させることによって達成されてよい。基体部材の物理的寸法が変化すると、少なくとも１つの個々のルーバーがある方向に動かされて、トラック又はガイドを横切るように強制される。トラック又はガイドは、個々のルーバーを吊り下げ位置で支持して、個々のルーバーの摺動可能な動きを可能にする、カバー又はベースの表面上に配置された構造部品であってもよい。個々のルーバーがトラック又はガイドを横断することで、個々のカバーアパーチャの開口が調節される。
【００４１】
代替的な実施形態では、基体部材の暴露を調整するためアパーチャがベースに設けられてよい。この実施形態では、開示されたルーバーパネルの実施形態の何れかが使用されてよく、カバーアパーチャを動作自在に遮ることについて先に説明した方法と同様な方法で、ベースのアパーチャが動作自在に遮られる。この実施形態では、単一のルーバーパネルを使用して、カバーとベースの両方のアパーチャが遮られてよい。これは、例えば、ベースのアパーチャへと延びるタインを設けることで達成されてよい。或いは、カバーのアパーチャを動作自在に遮るためにルーバーパネルが使用されてよく、ベースのアパーチャを動作自在に遮るために別のルーバーパネルが使用されてよい。
【００４２】
添付の図では、ベースを底側の構成部品とし、カバーを上側の構成部品とし、基体部材をルーバーパネルの下に配置しているが、装置はこのような連続構成に限定されないことは理解される。当業者であれば、本開示の恩恵によって、構成部分とそれらの配置について任意の組合せ又は変更が利用されてよいことを理解するであろう。例えば、複数のあり得る構成部品に加えて、装置は、その基体部材の第１の端部でカバーに静的に取り付けられて、カバーと摺動可能に係合するような基体部材を有するように構成されてよい。さらなる例として、ルーバーパネルは、基体部材の下側又は側方に配置されてよい。さらなる例として、ルーバーパネルは、カバーと摺動可能に係合するように構成されてもよい。
【００４３】
図５乃至８を参照すると、例示的な第２の実施形態では、装置１００は、ベース５００、基体部材４００、及びカバー２００を含んでよい。装置１００は、ベース５００内に配置された基体部材４００と共にベース５００が直立するように構成されてよい。カバー２００は、ベース５００及び基体部材４００の上に配置されて、基体部材４００上に置かれてよい。基体部材４００の物理的寸法が変化すると、カバー２００はベース５００に対して移動する。幾つかの実施形態では、ベース５００及び／又はカバー２００は、カバー２００がベース５００に対して移動すると、遮られる又は開けられる通気アパーチャ２１０を含んでよい。
【００４４】
ベース５００は、連接した側部５０４を有する底部５０２と、開いた頂部５０６とを有しており、ベース内部キャビティ５０８が形成された自己支持型容器であってよい。基体部材４００は、第１の実施形態の基体部材４０と同じ材料から製造されてよい。基体部材４００は、ベース内部キャビティ５０８を補完する形状を呈しており、その内部に摺動可能に挿入されてよい。カバー２００は、連接した側部２０４を有する閉じた頂部２０２と、開いた底部２０６とを有しており、カバー内部キャビティ２０８が形成されていてよい。カバー２００は、基体部材４００がベース内部キャビティ５０８に挿入されると、カバー内部キャビティ２０８が少なくともベース５０６及び基体部材４００を摺動可能に受け入れるように構成されてよい。
【００４５】
図６を参照すると、ベース底部５０２は、その開いた頂部５０６を上向きにして、ベース５００を自立させるのを容易にするように構成されてよい。例えば、ベース底部５０２は、表面に置かれている間に装置１００を支持する一方で、ベース頂部５０６が表面から上方に向くように構成されてよい。加えて、ベース底部５０２は、フレア型にされており、或いは、支持脚部又は他の類似のスタンドを有しており、鉛直に自立する場合にベース５００の安定性を支援してよい。ベース底部５０２は更に、自立した直立位置にて、ベース５００の内側に置かれた基体部材４００と、ベース５００の頂部の上に置かれたカバー２００とに沿って、ベース５００を支持するように構成されてよい。ベース５０２は、丸い縁を有する略矩形であるように図示されている。しかしながら、他の形状が使用されてもよい。これらには、立方形、楕円形、角錐形などが含まれるが、これらに限定されない。ベース５００の側面５０４には、少なくとも１つの通気口２１０が形成されてよい。ベース内部キャビティ５０８は、ベース５００の形状と実質的に一致する形状を有するように示されている。しかしながら、ベース内部キャビティ５０８は、ベース５００の外部とは異なる形状を有していてもよい。例えば、ベース５００の外面は角錐形状を有しており、ベース内部キャビティ５０８は長方形の形状を有してよい。
【００４６】
図７に示すように、基体部材４００は、ベース内部キャビティ５０８に摺動可能に挿入されるように構成されてよい。基体部材４００は、ベース内部キャビティ５０８の形状を補完する形状にされてよい。幾つかの実施形態では、基体部材４００は、基体部材４００の一部の内部に形成された少なくとも１つのアパーチャ４０２を有してよい。アパーチャ４０２は、基体部材４００の幅、長さ、及び／又は高さにわたって広がってよい。代替的又は付加的に、アパーチャ４０２は、基体部材４００の表面のデッドホール、凹部、及び／又は窪みとして構成されてよい。アパーチャ４０２に装飾性を付加してよいが、拡散速度を増加させるために基体部材４００の表面積の露出を増加させてよい。さらに、アパーチャ４０２は、基体部材４００からの香気の十分な分散を容易にできる。例えば、香気粒子は、基体部材４００の中心から基体部材４００の外面を通って外部に拡散してよく、基体部材４００の一部が厚すぎると、耐用年数の前に基体部材４００から香気粒子の全てが拡散しないことが起こり得る。故に、アパーチャ４０２は、基体部材４００の形状と拡散性とに従って形成されて、装置１００の有効性ができるだけ大きくされてよい。
【００４７】
基体部材４００は、香気を含んでいる場合において、香気の拡散によって物理的寸法が変化する前に、（ベース５００の内側から測って）ベース底部５０２からベース頂部５０６までの長さよりも長い長さを有してよい。基体部材４００がベース内部キャビティ５０８の内部に配置されている場合にて、基体部材４００の一部は、ベース内部キャビティ５０８から突き出て、ベース頂部５０６を越えて延出することが考えられる。これによって、基体部材４００がベース５００内に配置されて、カバー２００がベース５００の上に配置されている場合に、カバー部材２００が基体部材４００に載ることを容易にすることができる。
【００４８】
図８に示すように、カバー２００は、ベース５００にわたった摺動とベース５００の受け入れとを容易にするように構成されてよい。カバー２００は更に、基体部材４００がベース５００の内部に置かれている場合に、ベース５００と基体部材４００にわたって摺動してそれらを受け入れるように構成されてよい。カバー２００は、丸い縁を有する略矩形であるように図示されている。しかしながら、他の形状が使用されてよい。これらには、立方形、楕円形、角錐形などが含まれるが、これらに限定されない。カバー内部キャビティ２０８がベース５００の外形を補完することが考えられるが、これは必須ではない。カバー内部キャビティ２０８は、カバー２００をベース５００の上に配置し、ベース５００及び／又は基体部材４００を受け入れることができる任意の形状とされてよい。カバー２００の側面２０４には、少なくとも１つの通気口２１０が形成されてよい。カバー内部キャビティ２０８は、カバー２００の形状と実質的に一致する形状を有するように図示されている。しかしながら、カバー内部キャビティ２０８は、カバー２００の外部の形状とは異なる形状を有していてもよい。例えば、カバー２００の外面は角錐形であってよく、カバー内部キャビティ２０８は長方形であってよい。
【００４９】
カバー内部キャビティ２０８が少なくともベース頂部５０２と基体部材４００の一部とを受け入れ可能にすることで、ユーザは、ベース内部キャビティ５０８に基体部材４００を挿入し、ベース５００及び基体部材４００の上にカバー２００を配置することができる。基体部材４００がベース頂部５０２を越えて延びる実施形態では、カバー２００は、ベース頂部５０２を越えて延在する基体部材４００の部分の上に載るように作製されてよい。香気の拡散によって基体部材４００の物理的寸法が変化すると、カバー２００は、基体部材４００上に載置されていることから、ベース５００に対して移動する。例えば、基体部材４００の大きさは、ベース頂部５０２を越えて延びる部分がベース底部５０６に向かって進むように縮小してよい。この移動により、カバー２００がベース５００に対して移動してよい。この移動は、カバー２００がベース底部５０６に向かって移動するものであってよい。ベース側部５０４及びカバー側部２０４の少なくとも１つに、通気口２１０の少なくとも１つが設けられてもよい。カバー２００がベース５００に対して動くと、ベース５００及び／又はカバー２００の構造は、通気口２１０を「遮る」又は「開ける」ことができ、装置１００内からの香気の拡散を制御することができる。これは、カバー２００がベース５００に対して動かされると、カバー２００の通気口２１０が、ベース５００の通気口２１０及び／又は構造を横切ることで達成される。
【００５０】
幾つかの実施形態では、装置１０，１００は、寿命インジケータ６００を含んでよい（図５乃至図６参照）。基体部材４０，４００の物理的寸法の変化が、基体部材４０，４００の有効寿命の代理として利用されてよい。例えば、基体部材４０，４００の物理的寸法におけるどのくらいの変化が、基体部材４０，４００が引き続き使用された場合における香気拡散限界と対応するのかが、予め決定されてよい。この物理的寸法の変化は、基体部材４０，４００の「有効寿命の終わり」として指定できる。基体部材４０，４００の有効寿命末期の物理的寸法は、装置１０，１００の形態によって使用者に伝達されてよい。故に、装置１０，１００は、カバー２０，２００が、基体部材４０，４００の有効寿命の物理的寸法に対応する量だけベース５０，４００に対して移動すると、寿命インジケータ６００がシグナルを生成するように構成されてよい。
【００５１】
寿命インジケータ６００は、基体部材４０，４００の有効寿命に達した時点についてシグナルをもたらすマークを含んでよい。例えば、アパーチャ２１，２１０、タイン３１、又は、装置１０，１００におけるその他の構造が、別のアパーチャ２１，２１０、タイン３１、又は、装置１０，１００における別のその他の構造と整列する／整列しない場合に、シグナルが生成されてよい。シグナルは、例えば、２つのアパーチャ２１，２１０が整列すると現れる色付マークであってよい。別の例として、シグナルは、２つの構造体が整列している／整列していない場合に、クローズして電力を送信する回路に接続された光源（例えば、発光ダイオード）であってよい。別の例では、カバー２００がベース５００に対して動くと、カバー２００のアパーチャ２１０が、ベース側部５０４に設けられたマークと揃えられてよい。マークは、着色されたマーク又はその他の記号であってよい。寿命表示アパーチャとして指定されたアパーチャ２１０がマークと揃えられない限り、カバー２００及びベース５００がマークを見せないように構成することで、アパーチャ２１０とマークとの位置合わせを、寿命インジケータ６００として使用することができる。
【００５２】
例示的な実施形態では、ＥＶＡを含む基体部材が提供されてよい。ＥＶＡは、エチレンと酢酸ビニルの共重合体である。ＥＶＡは、元来臭気を持たない。しかしながら、ＥＶＡは、芳香成分を吸収し、又はさもなければ入り込ませることができる。ＥＶＡは、柔軟性及び可撓性においてエラストマー材料にほぼ等しいにも拘わらず、熱可塑性樹脂のように加工することができる。ＥＶＡは、１０，０００ダルトン〜１００，０００ダルトン、より好ましくは２２，０００〜８７，０００ダルトンの分子量を有してよい。ＥＶＡの有益な特性を共有するその他の適切なポリマー材料が、代わりに用いられてもよい。これらのポリマー材料には、エチルビニルアルコール、高密度ポリエチレン、低密度ポリエチレン、ポリスチレン、アクリルポリマー、ポリカーボネート、ポリウレタン、並びにこれらの混合物及び共重合体があるが、これらに限定されない。
【００５３】
１又は複数の芳香成分が使用されてよい。これらには、引用を以て本明細書の一部となる、連邦規制集のタイトル２１、セクション１７２．５１０及びセクション１７２．５１５にて米国食品医薬品局（ＦＤＡ）によって纏められたものから選択されたものが含まれてよいが、これらに限定されない。ベンズアルデヒド、フェノール、桂皮アルデヒド及びそのエステル、オクタジエン、ジエン、シクロヘキサジエン及びテルペンから選択される芳香成分が使用されてよい。
【００５４】
また、芳香油が、単独で、又はその他の芳香化学物質と組み合わせて使用されてよい。好適な芳香油は、例えば、スパイス油、花精油、果実油である。その他の好適な香料には、ベンジンアルコール、エチルマルトール、フラネオール、１−ヘキサノール、シス−３−ヘキセン−１−オール、メントール、ベンズアルデヒド、ヘキサナール、桂皮アルデヒド、シトラール、シス−３−ヘキセナール、フルフラール、ネラール、バニリン、酢酸エチル、ブタン酸エチル、カプリン酸エチル、ヘキサン酸エチル、オクタン酸エチル、酢酸ヘキシル、酢酸イソアミル、ブタン酸メチル、メチル・サリチル酸、ブタン酸ペンチル、吉草酸ペンチル、ソトロン、ストロベリーアルデヒド、フラクトン、アネトール、アニソール、オイゲノール、ジヒドロジャスモン、２−アセチル−１−ピロリン、６−アセチル−２，３，４，５−テトラヒドロピリジン、ガンマ−デカラクトン、ガンマ−ノナラクトン、デルタ−オクタラクトン、ジャスミンラクトン、マッソイアラクトン、カンフル、シトロネロール、リナロール、ネロール、ネロリドール、アルファ−テルピネオール、ツジョン、及びチモールがあるが、これらに限定されない。
【００５５】
芳香成分は、１又は複数のヒンダードアミンと混合されてもよい。ヒンダードアミンは当該技術分野において周知であって、米国特許第６，２２１，１１５号に詳細に説明されている。当該米国特許の関連部分は、引用を以て本明細書の一部となる。ヒンダードアミンの例には、１−（２−ヒドロキシ−２−メチルプロポキシ）−４−オクタデカノイルオキシ−２，２，６，６−テトラメチルピペリジン；１−（２−ヒドロキシ−２−メチルプロポキシ）−４−ヒドロキシ−２，２，６，６−テトラメチルピペリジン；ビス（１−オクチルオキシ−２，２，６，６−テトラメチルピペリジン−４−イル）セバケート；ビス（１−シクロヘキシルオキシ−２，２，６，６−テトラメチルピペリジン−４−イル）セバケート；１−シクロヘキシルオキシ−２，２，６，６−テトラメチル−４−オクタデシルアミノピペリジン； ２，４−ビス［（１−シクロヘキシルオキシ−２，２，６，６−テトラメチルピペリジン−４−イル）ブチルアミノ］−６−（２−ヒドロキシエチルアミノ−ｓ−トリアジン；ビス（１−シクロヘキシルオキシ−２，２，６，６−テトラメチルピペリジン−４−イル）アジペート；１−（２−ヒドロキシ−２−メチルプロポキシ）−４−オキソ−２，２，６，６−テトラメチルピペリジン；ビス（１−（２−ヒドロキシ−２−メチルプロポキシ）−２，２，６，６−テトラメチルピペリジン−４−イル）セバケート；ビス（１−（２−ヒドロキシ−２−メチルプロポキシ）−２，２，６，６−テトラメチルピペリジン−４−イル）アジペート；ビス（１−（２−ヒドロキシ−２−メチルプロポキシ）−２，２，６，６−テトラメチルピペリジン−４−イル）スクシネート；ビス（１−（２−ヒドロキシ−２−メチルプロポキシ）−２，２，６，６−テトラメチルピペリジン−４−イル）グルタレート；２，４−ビス｛Ｎ−［１−（２−ヒドロキシ−２−メチルプロポキシ）−２，２，６，６−テトラメチルピペリジン−４−イル］−Ｎ−ブチルアミノ｝−６−（２−ヒドロキシエチルアミノ）−ｓ−トリアジン）１−メトキシ−４−ヒドロキシ−２，２，６，６−テトラメチルピペリジン；１−メトキシ−４−ヒドロキシ−２，２，６，６−テトラメチルピペリジン；１−オクチルオキシ−４−ヒドロキシ−２，２，６，６−テトラメチルピペリジン；１−シクロヘキシルオキシ−４−ヒドロキシ−２，２，６，６−テトラメチルピペリジン；１−メトキシ−４−オキソ−２，２，６，６−テトラメチルピペリジン；１−オクチルオキシ−４−オキソ−２，２，６，６−テトラメチルピペリジン；１−シクロヘキシルオキシ−４−オキソ−２，２，６，６−テトラメチルピペリジン、又は、それらの混合物があるが、これらに限定されない。
【００５６】
芳香成分は、１又は複数の酸化防止剤を含んでよい。それらには、第三ブチルヒドロキノン、ｎ−オクタデシル−３，５−ジ−ｔｅｒｔ−ブチル−４−ヒドロキシヒドロシンナメート、ブチル化ヒドロキシアニソール、フェノールビスホスファイト、ブチル化ヒドロキシトルエン、及びホスファイト化合物が含まれるが、これらに限定されない。本組成物中の酸化防止剤の有効量は、ＥＶＡ又は他のポリマーの０．０１５〜２．５重量％、好ましくは０．１〜０．７５重量％、最も好ましくは０．２〜０．５重量％である。
【００５７】
例示的な実施形態は、香料／酸化防止剤混合物を、混合物における任意の他の成分に添加する前に、香料と混合した酸化防止剤を高濃度にしてよい。
【００５８】
芳香成分を希釈剤に含めることが、基体部材の使用の前に行われてよい。希釈剤の例としては、クエン酸トリエチル、アジピン酸ジイソプロピル；アジピン酸ジオクチル；ミリスチン酸イソプロピル；パルミチン酸イソプロピル；ステアリン酸ブチル；ベンジルアルコール；安息香酸ベンジル；フタル酸ジエチルであってよいが、これらに限定されない。希釈剤の量は、芳香成分又は酸化防止剤を溶解するのに必要な量で決定されてよい。
【００５９】
（他の添加物の有無に拘わらず）選択された芳香成分は、基体部材のポリマーに埋め込まれてよく、及び／又は吸収されていてよい。芳香成分は、１０％〜９０％、２０％〜８０％、３０％〜７０％、３０％〜６０％、及び３０％〜５０％の重量パーセントでポリマーに導入されてよい。更なる実施形態では、芳香成分は、約１％、約１０％、約２０％、約３０％、約４０％、約５０％、約６０％、約７０％、約８０％、約９０％、約９５％の重量パーセントでポリマーに導入されてよい。芳香成分、酸化防止剤、希釈剤の混合物の生成に関する更なる情報は、米国特許第７，２２０，２８８に見出すことができ、この米国特許は、完全に書かれたかのように、引用を以て本明細書の一部となる。
【００６０】
本発明の適用可能なさらなる領域は、本明細書の詳細な説明から明らかになるであろう。例示的な実施形態の詳細な説明は、例示のみを目的としており、開示の範囲を限定することを意図するものではないことは理解されるべきである。
【００６１】
開示された装置の様々な例示的な実施形態が上記で説明されているが、それらは限定ではなく例示のために提示されたものであることが理解されるべきである。それは、排他的ではなく、本発明を開示された厳密な形態に限定するものではない。上記の教示を踏まえた変更及び変形が。その外縁又は範囲から逸脱することなく、可能であって、又は、開示の実施によってなされてよい。
【図１】
2018509984.tif 000003
【図２】
2018509984.tif 000004
【図３】
2018509984.tif 000005
【図４】
2018509984.tif 000006
【図５】
2018509984.tif 000007
【図６】
2018509984.tif 000008
【図７】
2018509984.tif 000009
【図８】
2018509984.tif 000010
【国際調査報告】
2018509984.tif 000011